(57)【特許請求の範囲】
【請求項１】
フレームに対するケーブル導入用のパッキング半部片（１）であって、別のパッキング半部片と共に、フレームの所定スペースを実質的に充填する実質的に平行六面体のパッキング部片を形成し、キャビティ（３）を具備し、該キャビティ（３）と別のパッキング半部片の対応キャビティとがケーブルやワイヤ等の貫通チャネルを形成し、該チャネルの寸法が前記ケーブルやワイヤ等の寸法に適合するものにおいて、パッキング半部片（１）と共に一部品として形成された突出するタブ（４〜７）が設けられ、パッキング半部片（１）とタブ（４〜７）との間の接続部は、キャビティ（３）の縁部に沿って延び、タブ（４〜７）はキャビティ（３）に対して折り曲げられたときに、中に押し入れられて、キャビティ（３）の実質的全面をカバーし、キャビティ（３）の寸法を小さくできるように寸法構成され、該パッキン半部片は少なくとも二つのタブ（４〜７）を含み、該タブ（４〜７）が異なる厚さから成ることを特徴とするパッキング半部片。
【請求項２】
パッキング半部片（１）の主部（２）とタブ（４、５）との間の接続部には、タブ（４、５）の切り取りを可能にする切り欠き部（８）が設けられることを特徴とする、請求項１に記載のパッキング半部片。
【請求項３】
タブ（６、７）は、パッキング半部片（１）の端面から外方に突出し、キャビティ（３）の限界に沿って接続されていることを特徴とする請求項１又は２記載のパッキング半部片。
【発明の詳細な説明】
本発明は、フレームに対するケーブル導入用のパッキング半部片であって、別のパッキング半部片と共に、フレームの所定スペースを実質的に充填する実質的に平行六面体のパッキング部片を形成し、キャビティを具備し、該キャビティと別のパッキング半部片の対応キャビティとがケーブルやワイヤ等の貫通チャネルを形成し、該チャネルの寸法が前記ケーブルやワイヤ等の寸法に適合するようなものに関する。
ケーブル導入に使用する２つのパッキング半部片から成るパッキング部片はよく知られている。パッキング部片は、フレームの所定スペースを適切に充填することを可能にするモジュールシステムに従って寸法構成される。パッキング部片又はそれらの中の少なくとも幾つかは、ケーブルやワイヤ等のための貫通チャネルを具備する。これらの公知のパッキング部片又はパッキング半部片は、幾分弾力性を有するが、問題のケーブルやワイヤ等に対して良好なシール状態をもたらすように所定材料で形成される。パッキング部片は、正しい寸法のチャネルを具えるように選定されねばならない。これは、様々の寸法のケーブルやワイヤ等に対して良好なシールを提供するために非常に多くの異なるチャネル寸法を有したパッキング半部片が製造されねばならない、ということを意味する。これは、制限された在庫量の小ユーザーにとって、所望のパッキング部片が常に利用できるものではない、ということを意味し得る。
上記に鑑み、ケーブル導入部を通して導かれるべき其のようなケーブルやワイヤ等の異なる寸法に容易に適合し得るパッキング部片又はパッキング半部片が希求されている。これは、本発明に従い、前置きで説明したタイプのパッキング半部片であって、少なくとも１つの突出するタブを具備し、該タブが、キャビティに対して折り曲げられたときに、中に押し入れられて、キャビティの実質的全面をカバーし、キャビティの寸法を小さくできるように寸法構成されるようなものによって達成される。
本発明に係る２つのパッキング半部片から成るパッキング部片によれば、導入部を通して導入されるべき様々の寸法のケーブルやワイヤ等のために同じパッキング部片を単純に使用することができる。これは、在庫され続ける必要性のあるのが少ない種類のパッキング半部片であるので、小ユーザーの手持ち在庫をより簡素・安価にさせる。
本発明の好適な実施態様は、従属請求項に記載される。
本発明は、添付した図面を参照して以下に詳細に記載される。
図１は、本発明の一実施例に係るパッキング半部片の斜視図であり、
図２は、図１に係るパッキング半部片の端面図であり、
図３は、図２の丸で囲んだ領域の拡大詳細図である。
図１は、パッキング半部片１を示しており、このパッキング半部片は、逆向きにしてその上に配置される別のパッキング半部片と共にパッキング部片を形成することを意図されたものである。このパッキング部片は、単独で或いは複数の他の実質的に同じパッキング部片と共に、壁もしくは類似構造にケーブルやワイヤ等を導入してシール状態にするためにフレームに配置されるべきものである。導入形式自体は、公知であって、例えば、スウェーデン国特許明細書152815に示されたタイプから成る。パッキング半部片１は、概ね平行六面体である主部２を有しており、対応する寸法の追加的なパッキング半部片と共に、好ましくは四角断面を形成する。従って、パッキング部片は、ケーブル導入フレームのモジュールとして適用される。主部２は、パッキング半部片１の全体に沿って延びる概ね半円筒状のキャビティ３を具備しており、導入トラフを通しての封止形式の導入が為されるべきであるケーブルやワイヤ等のためのチャネルの半分を構成している。チャネルの他の部分は、図１に示されるパッキング半部片の上に配置される別のパッキング半部分の対応キャビティによって形成される。
パッキング半部片１は、２つの上に向いたタブ４及び５と、２つの補助的なタブ６及び７、とを具備する。総てのタブ４〜７は、主部２と共に一部品として形成され且つ主部と同じ材料で形成される。上に向いたタブ４及び５は、その主部２に対する接続部がキャビティ３の縁部に沿って延びるように形成されて成り、タブ４及び５は概ね扁平である。図面から理解され得るように、タブ４及び５は、異なる厚さを有し、その理由は以下に詳述する。
タブ６及び７は、キャビティ３と同じ輪郭を具えた概ねボウル形状を有する。
図２及び３から詳細に理解され得るように、タブ４、５の各々は、主部２との接続部において、ノッチ又は切り欠き８を具備しており、これにより、必要なときに、主部２からタブ４又は５を切り取ることができる。タブ６及び７は、主部２との接続部において、対応したノッチ又は切り欠きを具備することができる。
タブ４〜７の機能は次の通りである。所定半径を有する主部２のキャビティ３は、所定半径を有するケーブルやワイヤ等のために意図されたものである。パッキング半部片２がキャビティ直径よりも小径のケーブルやワイヤ等の導入をシールするために用いられるべき場合、１以上のタブ４〜７は、キャビティ３の中に折り込まれて、その直径が減少され得る。より大きなケーブルやワイヤ等のためにパッキング半部片を用いることができるようにするために、図２から明瞭に理解され得るように、タブ４及び５は異なる厚さを有する。使用範囲の増大が可能なようにタブ６及び７が異なる厚さを有する、ということが適切である。
タブ４又は５と主部２との間の接続部におけるノッチ８の目的は、不使用時にタブ４又は５を単純に切り取ることを可能にすることである。対応するパッキング半部片と協働し且つ正規寸法のパッキング部片を形成することができることは、パッキング半部片１に必要なことである。このことは、キャビティ３の寸法を小さくするために使用されない場合に突出位置に保持され得ると共に必要に応じて切り取られ得るようなタブ６及び７についても妥当する。
タブ４及び５の所定機能を達成するために、図２に示すように、キャビティ３の表面に沿った湾曲寸法に概ね対応した所定高さを有することが好ましい。
本発明は、上記例に制限されない。むしろ、以下の特許クレームの範囲の中で変更を行うことができる。例えば、１以上のタブ４〜７を省略することができる。勿論、１以上のタブ４〜７を切り取ることができ、その後で、問題のケーブルやワイヤに適合し得るように小型化するためにキャビティ３に対するルーズインサート（loose insert）として用いることができる。更に、キャビティ及びタブは、相対移動をロックするために相互係合するキャビティ及び突起部を具備できる。
【図１】
0004219983.tif 000002
【図２】
0004219983.tif 000003
【図３】
0004219983.tif 000004